(57)【要約】【課題】  ネットワーク上の情報処理装置に格納されたデータベースから各使用者に応じたデータを取得し、その取得したデータを利用した処理を実行することができる通信端末装置を提供する。【解決手段】  通信端末装置は、人体識別情報読取部によって読み取られた人体識別情報を（Ｓ１０１）、情報処理装置に送信する（Ｓ１０２）。情報処理装置は、この人体識別情報に基づいてデータベースを検索し、対応する個人情報を通信端末装置に送信する。情報処理装置からの個人情報を受信した通信端末装置は（Ｓ１０３）、画像データ読取部によって読取対象物の画像データを取得する（Ｓ１０４）。そして、送信処理制御部は、個人情報から抽出された宛先に画像データを送信する（Ｓ１０５）。これにより、使用者は、文字入力等のような特別な操作をすることなく簡便な操作によって、画像データの送信できる。【選択図】        図３
2006262093.tif 000002
【特許請求の範囲】
【請求項１】
通信端末装置であって、
(a)  使用者の人体識別情報を読み取る第１の読取部と、
(b)  情報処理装置に前記人体識別情報の送信する送信部と、
(c)  前記情報処理装置から送信される前記人体識別情報に応じた個人情報を受信する受信部と、
(d)  前記個人情報を利用した所定の処理を実行する処理部と、
を備えることを特徴とする通信端末装置。
【請求項２】
請求項１に記載の通信端末装置において、
前記処理部は、前記個人情報に基づいて送信データを送信することを特徴とする通信端末装置。
【請求項３】
請求項２に記載の通信端末装置において、
前記処理部は、前記個人情報を送信先情報として使用することを特徴とする通信端末装置。
【請求項４】
請求項２に記載の通信端末装置において、
前記処理部は、前記個人情報を送信元情報として使用することを特徴とする通信端末装置。
【請求項５】
請求項２ないし請求項４のいずれかに記載の通信端末装置において、
(e)  対象物を画像データとして読み取る第２の読取部、
をさらに備え、
前記送信データは、前記第２の読取部によって読み取られた画像データであることを特徴とする通信端末装置。
【請求項６】
請求項１に記載の通信端末装置において、
前記処理部は、前記個人情報を記憶部に格納することを特徴とする通信端末装置。
【発明の詳細な説明】
【技術分野】
【０００１】
本発明は人体識別情報に基づいて所定の処理を実行する通信端末装置に関する。
【背景技術】
【０００２】
従来より、ネットワークや電話回線を通じて接続された送信側の装置から受信側の装置へデータを送信するとともに、その送信されたデータに基づいて受信側の装置に格納されたデータを変更することができる装置が知られている（特許文献１ないし３）。
【０００３】
例えば、特許文献１には、遠隔端末から送信される電話帳によって電話装置に格納された電話帳を更新することができる発明が開示されている。また、特許文献２には、無線装置と無線基地局との間で電話帳またはその他の情報を送受信することにより、無線装置および無線基地局のうち一方から他方に電話帳等の情報をコピーすることができる発明が開示されている。さらに、特許文献３には、受信したＯＭＲシートに基づいて、ファクシミリ装置の内部情報を変更することができる発明が開示されている。
【０００４】
【特許文献１】特開平０７−３０３１５１号公報
【特許文献２】特表２００３−５３６３３６号公報
【特許文献３】特開平０６−１５２９１５号公報
【発明の開示】
【発明が解決しようとする課題】
【０００５】
しかし、特許文献１ないし３に記載された発明において、受信側の装置は、装置の使用者を区別することができない。そのため、受信側の装置の使用者は、送信側の装置に対して、その使用者に対応したデータを送信するように要求することができない。
【０００６】
また、特許文献１ないし３の発明では、すべての使用者が同一の処理を実行できる。例えば、すべての使用者が、受信側または送信側に装置に格納されたすべてのデータにアクセスすることが可能である。そのため、特許文献１ないし３の装置には、セキュリティ上問題が存在する。
【０００７】
そこで、本発明では、情報処理装置に格納されたデータベースから各使用者に応じたデータを取得し、その取得したデータを利用した処理を実行することができる通信端末装置を提供することを目的とする。
【課題を解決するための手段】
【０００８】
上記課題を解決するため、請求項１の発明は、通信端末装置であって、使用者の人体識別情報を読み取る第１の読取部と、情報処理装置に前記人体識別情報の送信する送信部と、前記情報処理装置から送信される前記人体識別情報に応じた個人情報を受信する受信部と、前記個人情報を利用した所定の処理を実行する処理部と、を備えることを特徴とする。
【０００９】
また、請求項２の発明は、請求項１に記載の通信端末装置において、前記処理部は、前記個人情報に基づいて送信データを送信することを特徴とする。
【００１０】
また、請求項３の発明は、請求項２に記載の通信端末装置において、前記処理部は、前記個人情報を送信先情報として使用することを特徴とする。
【００１１】
また、請求項４の発明は、請求項２に記載の通信端末装置において、前記処理部は、前記個人情報を送信元情報として使用することを特徴とする。
【００１２】
また、請求項５の発明は、請求項２ないし請求項４のいずれかに記載の通信端末装置において、対象物を画像データとして読み取る第２の読取部、をさらに備え、前記送信データは、前記第２の読取部によって読み取られた画像データであることを特徴とする。
【００１３】
また、請求項６の発明は、請求項１に記載の通信端末装置において、前記処理部は、前記個人情報を記憶部に格納することを特徴とする。
【発明の効果】
【００１４】
請求項１から請求項６に記載の発明によれば、使用者の人体識別情報に応じた個人情報を情報処理装置から取得することができる。そのため、使用者は、特別な操作を行うことなく、各使用者に応じた所定の処理を実行することができる。
【発明を実施するための最良の形態】
【００１５】
以下、図面を参照しつつ本発明の実施の形態について詳細に説明する。
【００１６】
＜１．第１の実施の形態＞
＜１．１．通信システムの構成＞
図１は、本実施の形態における通信システム１００の構成の一例を示す図である。図１に示すように、通信システム１００は、主として、複数（図１においては２つ）の通信端末装置１と、各通信端末装置１とネットワーク５を通じて電気的に接続される情報処理装置７と、を備える。
【００１７】
情報処理装置７は、いわゆるパーソナルコンピュータやワークステーションによって構成されており、図１に示すように、主として、プログラムや変数等を格納するメモリ８ａと、メモリ８ａに格納されるプログラムに従った制御を実行するＣＰＵ８ｂと、大容量記憶部８ｃとを備える。
【００１８】
ここで、大容量記憶部８ｃは、シリコンディスクドライブやハードディスクドライブ等のようにメモリ８ａと比較して記憶容量の大きな素子によって構成される。したがって、大容量記憶部８ｃには、データベース９のようなファイルサイズの比較的大きいデータが保存される。そして、必要に応じてメモリ８ａとの間でデータの授受が行われる。
【００１９】
また、大容量記憶部８ｃのデータベース９には、通信端末装置１の使用者（以下、単に、「使用者」と称する）を一意に識別することができる人体識別情報と個人情報とが、関連付けて登録される。
【００２０】
したがって、ＣＰＵ８ｂは、メモリ８ａに格納されたプログラムに従い、大容量記憶部８ｃに格納されたデータベース９の検索処理、およびデータベース９から抽出されたデータの送信処理等を所定のタイミングで実行する。
【００２１】
＜１．２．通信端末装置の構成＞
図２は、本発明の実施の形態における通信端末装置１の構成の一例を示す図である。通信端末装置１は、スキャナ、プリンタ、複写機、ファクシミリ、またはこれらの機能を複合させた複合機である。図２に示すように、通信端末装置１は、主として、画像データ読取部２０と、記録部４０と、人体識別情報読取部６０と、送信処理制御部６１と、格納処理制御部６２と、ＬＡＮインターフェース６５と、を備える。
【００２２】
画像データ読取部２０は、文書、線図、写真等、およびこれらの組み合わせからなる読取対象物を読み取り、この読み取られた読取対象物を画像データとして通信端末装置１に入力する入力部である。画像データ読取部２０によって取り込まれて２値化された画像データは、符号化（圧縮）され、画像メモリ１６に格納される。
【００２３】
ここで、画像データ読取部２０による符号化としては、例えば、ＭＨ（Modified Huffman）、ＭＲ（Modified Read）、ＭＭＲ（Modified MR）、および、ＪＢＩＧ（Joint Bi-level Image experts Group）のいずれかの方式が採用される。また、符号化処理は、画像データ読取部２０とは別個に設けられたハードウェアによって実行してもよいし、可能な場合はソフトウェアによって符号化処理を実行してもよい。
【００２４】
モデム３２は、画像メモリ１６に格納されたデジタルデータ（画像データ）を音声信号に変換したり、通信端末装置１の外部から送信される音声データをデジタルデータに変換する。ＮＣＵ３１は、公衆電話交換回線網に通信端末装置１を接続する際に必要となる機器であり、発着信やダイヤル制御を行う。
【００２５】
記録部４０は、符号化されて画像メモリ１６に格納された画像データを復号（伸張）するとともに、復号されて２値のビットマップデータとされた画像データに対して所定の画像処理（例えば、スムージングや解像度変換等の処理）を施す。そして、記録部４０は、所定の画像処理が施された画像データをシリアルのデータ列として印刷部（図示省略）に出力する。
【００２６】
ここで、記録部４０による復号処理としては、上述のＭＨ、ＭＲ、ＭＭＲ、および、ＪＢＩＧのいずれかの方式が採用される。また、復号処理は、記録部４０とは別個に設けられたハードウェアによって実行してもよいし、可能な場合はソフトウェアによって復号処理を実行してもよい。
【００２７】
表示部５１は、いわゆる液晶ディスプレイによって構成されている。また、表示部５１は、指や専用のペンで画面に触れることにより、画面上の位置を指定することができる「タッチパネル」としての機能を有する。したがって、使用者は、表示部５１に表示された内容に基づき、表示部５１の「タッチパネル」機能を使用した指示を行うことにより、通信端末装置１に対して所定の動作を実行させることができる。このように、表示部５１は、通信端末装置１に所定のデータの入力を可能とする入力部としても使用される。
【００２８】
操作部５２は、いわゆるキーパッドによって構成される入力部である。使用者は、表示部５１の表示内容に基づいた入力作業を行うことにより、通信端末装置１に対して所定の動作を実行させることができる。
【００２９】
人体識別情報読取部６０は、各使用者の人体識別情報（例えば、指紋、顔、虹彩、掌形、および静脈（血管）パターン、声紋、署名筆跡等）を読み取って通信端末装置１に入力する。上述のように、人体識別情報は、各使用者を一意に識別することができる。したがって、人体識別情報読取部６０で読み取られた各使用者の人体識別情報を情報処理装置７に送信し、情報処理装置７にてデータベース９（図１参照）の検索処理を行うことにより、各使用者に（各人体識別情報）に応じた個人情報（例えば、使用者の氏名、住所、電話番号、ファクシミリ番号、電子メールアドレス等）の取得が可能となる。
【００３０】
送信処理制御部６１は、情報処理装置７から送信された個人情報に基づいて送信データ（例えば、画像メモリ１６に格納された画像データ）を、所定の宛先に送信する。
【００３１】
例えば、使用者は、自己の個人情報のうち電子メールアドレスを送信先情報として使用することができる。これにより、使用者は、通信端末装置１の画像データ読取部２０で読み取られた画像データを、１文字ずつアドレスを入力することなく使用者の電子メールアドレス宛てに、容易に送信することができる。また、使用者は自己の個人情報のうち電子メールアドレスを送信元情報として使用することもできる。
【００３２】
格納処理制御部６２は、情報処理装置７から送信された個人情報をＲＡＭ１２に格納する。一旦使用者の個人情報がＲＡＭ１２に格納されると、その後、その使用者については、情報処理装置７にアクセスることなく送信先情報や送信元情報等の必要なデータを取得することができる。そのため、ネットワーク５の負担を軽減させるとともに、通信端末装置１および情報処理装置７の処理負担を軽減させることができる。
【００３３】
ＬＡＮインターフェース６５は、送信データを複数のパケットデータとして送信する。また、情報処理装置７から送信される個人情報を受信する。すなわち、ＬＡＮインターフェース６５は、送信部および受信部として使用される。
【００３４】
ＲＡＭ１２は、読み書き自在のメモリ（記憶部）であり、情報処理装置７から送信される個人情報等のデータを格納することができる。また、画像メモリ１６は、読み書き自在のメモリ（記憶部）であり、画像データ読取部２０やモデム３２を介して通信端末装置１に入力された画像データを格納することができる。
【００３５】
ＲＯＭ１３は、読出し専用メモリーであり、主制御部１１は、ＲＯＭ１３に格納されたプログラムに従った制御を実行する。また、主制御部１１は、ＲＯＭ１３、ＲＡＭ１２、画像メモリ１６、画像データ読取部２０、人体識別情報読取部６０、送信処理制御部６１、格納処理制御部６２、およびＬＡＮインターフェース６５等と信号線１５を介して電気的に接続される。したがって、主制御部１１は、このプログラムに従って、送信データの送信処理、個人情報の受信処理等を所定のタイミングで実行することができる。
【００３６】
なお、本実施の形態において、通信端末装置１の動作を制御するプログラムはＲＯＭ１３に格納されているが、これに限定されるものでない。例えば、読み書き自在の不揮発性メモリであるフラッシュメモリに当該プログラムを格納してもよい。
【００３７】
＜１．３．人体識別情報を使用した画像データの送信手順＞
図３は、人体識別情報を使用した画像データの送信手順を示すフローチャートである。本送信手順では、まず、人体識別情報読取部６０（図２参照）によって使用者の指紋等の人体識別情報が読み取られる（Ｓ１０１）。次に、読み取られた人体識別情報は、情報処理装置７に送信される（Ｓ１０２）。
【００３８】
情報処理装置７は、通信端末装置１から送信された人体識別情報に基づいて、大容量記憶部８ｃに格納されたデータベース９（図１参照）を検索する。そして、使用者に対応する個人情報がデータベース９に登録されている場合には、この個人情報が情報処理装置７から通信端末装置１に送信される。一方、個人情報が登録されていない場合には、登録されていない旨の制御信号が通信端末装置１に送信される。
【００３９】
使用者の個人情報がデータベース９に登録されていない場合、通信端末装置１は、登録されていない旨の制御信号を受信する。この場合、通信端末装置１は、データベース９に使用者の個人情報が登録されておらず、情報処理装置７から個人情報が送信されないものと判断して（Ｓ１０３）、本手順を終了する。
【００４０】
これに対して、使用者の個人情報がデータベース９に登録されており、情報処理装置７から個人情報が送信される場合（Ｓ１０３）、通信端末装置１は、画像データ読取部２０によって読取対象物の画像データを取得する（Ｓ１０４）。送信処理制御部６１は、情報処理装置７から送信された個人情報に含まれる使用者自身の電子メールアドレスを抽出する。そして、送信処理制御部６１によって、この抽出された電子メールアドレス（送信先情報）に画像データが送信されることにより（Ｓ１０５）、本手順が終了する。
【００４１】
＜１．４．第１の実施の形態の通信端末装置の利点＞
以上のように、第１の実施の形態の通信端末装置１は、使用者の人体識別情報に応じた個人情報を情報処理装置７から取得することができる。これにより、使用者は、個人情報に含まれる電子メールアドレス送信先情報として指定することができる。そのため、使用者は、文字入力等のような特別な操作をすることなく簡便な操作によって、画像データの送信処理を実行することができる。
【００４２】
＜２．第２の実施の形態＞
次に、本発明の第２の実施の形態について説明する。第２の実施の形態は、個人情報の利用方法が異なる点を除いては、第１の実施の形態と同様である。そこで、以下ではこの相違点を中心に説明する。
【００４３】
＜２．１．人体識別情報を使用した個人情報の登録手順＞
図４は、人体識別情報を使用した個人情報の登録手順を示すフローチャートである。本登録手順では、第１の実施の形態の送信手順と同様に、人体識別情報読取部６０（図２参照）によって使用者の人体識別情報が読み取られる（Ｓ２０１）。次に、読み取られた人体識別情報は、情報処理装置７に送信される。（Ｓ２０２）。
【００４４】
情報処理装置７は、通信端末装置１から送信された人体識別情報に基づいて、大容量記憶部８ｃに格納されたデータベース９（図１参照）を検索する。そして、使用者の個人情報がデータベース９に登録されている場合には、この個人情報が情報処理装置７から通信端末装置１に送信される。一方、個人情報が登録されていない場合には、登録されていない旨の制御信号が通信端末装置１に送信される。
【００４５】
情報処理装置７から登録されていない旨の制御信号が送信される場合、通信端末装置１は、データベース９に使用者に関する個人情報は登録されていないものと判断して（Ｓ２０３）、本手順を終了する。
【００４６】
これに対して、使用者の個人情報が情報処理装置７のデータベース９に登録されており、情報処理装置７から個人情報が送信される場合（Ｓ２０３）、格納処理制御部６２によって受信された個人情報がＲＡＭ１２に格納されるて（Ｓ２０４）、本手順が終了する。
【００４７】
＜２．２．第２の実施の形態の通信端末装置の利点＞
以上のように、第２の実施の形態の通信端末装置１は、使用者の人体識別情報に応じた個人情報を情報処理装置７から取得し、取得した個人情報を特別な操作を行うことなくＲＡＭ１２に登録することができる。これにより、登録後は、情報処理装置７にアクセスすることなく、その使用者の個人情報を取得することができる。そのため、ネットワーク５の負担を軽減させるとともに、通信端末装置１および情報処理装置７の処理負担を軽減させることができる。
【００４８】
＜３．変形例＞
以上、本発明の実施の形態について説明してきたが、本発明は上記実施の形態に限定されるものではなく様々な変形が可能である。
【００４９】
（１）第１および第２の実施の形態において、読み取られた人体識別情報は、使用者の個人情報を取得するために使用されているが、読み取られた人体識別情報の用途はこれに限定されるものでない。例えば、読み取られた人体識別情報は、使用者が通信端末装置１の使用権限を有するか否かの確認処理に使用されてもよい。
【００５０】
（２）第１の実施の形態の送信手順では、送信データを電子メールによって送信するものとして説明したが、これに限定されるものでない。例えば、ＮＣＵ３１によって送信データをファクシミリ送信してもよい。また、ＮＣＵ３１によって、情報処理装置７から送信される個人情報や制御信号を受信してもよい。すなわち、ＮＣＵ３１は、本発明の送信部および受信部としても使用可能である。
【００５１】
（３）第１の実施の形態では、個人情報に含まれる電子メールアドレスを送信先情報として使用したが、画像データの送信手順はこれに限定されるものではない。例えば、個人情報に含まれる使用者の氏名および電子メールアドレスを送信元情報として使用してもよいし、また、読み取られた画像データを個人情報に含まれるファクシミリ番号に送信してもよい。
【図面の簡単な説明】
【００５２】
【図１】本発明の第１および第２の実施の形態における通信システムの一例を示す図である。
【図２】本発明の第１および第２の実施の形態における通信端末装置の構成の一例を示す図である。
【図３】第１の実施の形態における画像データの送信手順を示すフローチャートである。
【図４】第２の実施の形態における個人情報の登録手順を示すフローチャートである。
【符号の説明】
【００５３】
１  通信端末装置
５  ネットワーク
７  情報処理装置
９  データベース
１１  主制御部
１２  ＲＡＭ
１３  ＲＯＭ
１６  画像メモリ
２０  画像データ読取部
４０  記録部
６０  人体識別情報読取部
６１  送信処理制御部
６２  格納処理制御部
６５  ＬＡＮインターフェース
１００  通信システム
【図１】
2006262093.tif 000003
【図２】
2006262093.tif 000004
【図３】
2006262093.tif 000005
【図４】
2006262093.tif 000006